(57)【要約】【課題】ピニオンギヤと２つのラックギヤとを、正しい歯同士が噛み合うように組み付けることが容易なパチンコ遊技機の駆動力伝達機構を提供する。【解決手段】１つのピニオンギヤ１５０、及び当該ピニオンギヤ１５０に歯合された２つのラックギヤを具備し、可動演出部材に駆動力を伝達することが可能な遊技機の駆動力伝達機構であって、前記２つのラックギヤは、それぞれ所定の歯（所定の歯１４２ｂ及び所定の歯１６１ｂ）の歯幅方向一端部が切り欠かれた切欠部（切欠部１４２ｃ及び切欠部１６１ｃ）を有し、ピニオンギヤ１５０は、互いに隣り合う所定の歯１５２・１５２の歯幅方向一端部を連結する連結部１５３を有し、前記切欠部に連結部１５３が対応するようにピニオンギヤ１５０と前記２つのラックギヤとをそれぞれ歯合させることで、ピニオンギヤ１５０と前記２つのラックギヤとを組み付けることが可能である。【選択図】図９
2014183961.tif 000002
【特許請求の範囲】
【請求項１】
１つのピニオンギヤ、及び当該ピニオンギヤに歯合された２つのラックギヤを具備し、可動演出部材に駆動力を伝達することが可能なパチンコ遊技機の駆動力伝達機構であって、
前記２つのラックギヤは、それぞれ所定の歯の歯幅方向一端部が切り欠かれた切欠部を有し、
前記ピニオンギヤは、互いに隣り合う所定の歯の歯幅方向一端部を連結する連結部を有し、
前記切欠部に前記連結部が対応するように前記ピニオンギヤと前記２つのラックギヤとをそれぞれ歯合させることで、前記ピニオンギヤと前記２つのラックギヤとを組み付けることが可能であることを特徴とする、
パチンコ遊技機の駆動力伝達機構。
【発明の詳細な説明】
【技術分野】
【０００１】
本発明は、１つのピニオンギヤ、及び当該ピニオンギヤに歯合された２つのラックギヤを具備し、可動演出部材に駆動力を伝達することが可能なパチンコ遊技機の駆動力伝達機構の技術に関する。
【背景技術】
【０００２】
従来、１つのピニオンギヤ、及び当該ピニオンギヤに歯合された２つのラックギヤを具備し、可動演出部材に駆動力を伝達することが可能なパチンコ遊技機の駆動力伝達機構の技術は公知となっている。例えば、特許文献１に記載の如くである。
【０００３】
このような駆動力伝達機構においては、可動演出部材を正常に動作させるために、ピニオンギヤと２つのラックギヤとを予め定められた歯同士が噛み合うように組み付ける必要がある。
【０００４】
しかしながら通常は、当該ピニオンギヤに形成される複数の歯、及びラックギヤに形成される複数の歯は一定の形状であるため、正しい歯同士が噛み合うように組み付けることが困難であり、誤った歯同士が噛み合うように組み付けてしまう場合もある点で不利であった。
【先行技術文献】
【特許文献】
【０００５】
【特許文献１】特開２００７−３１９３７６号公報
【発明の概要】
【発明が解決しようとする課題】
【０００６】
本発明は以上の如き状況に鑑みてなされたものであり、その解決しようとする課題は、ピニオンギヤと２つのラックギヤとを、正しい歯同士が噛み合うように組み付けることが容易なパチンコ遊技機の駆動力伝達機構を提供することである。
【課題を解決するための手段】
【０００７】
本発明の解決しようとする課題は以上の如くであり、次にこの課題を解決するための手段を説明する。
【０００８】
即ち、請求項１においては、１つのピニオンギヤ、及び当該ピニオンギヤに歯合された２つのラックギヤを具備し、可動演出部材に駆動力を伝達することが可能なパチンコ遊技機の駆動力伝達機構であって、前記２つのラックギヤは、それぞれ所定の歯の歯幅方向一端部が切り欠かれた切欠部を有し、前記ピニオンギヤは、互いに隣り合う所定の歯の歯幅方向一端部を連結する連結部を有し、前記切欠部に前記連結部が対応するように前記ピニオンギヤと前記２つのラックギヤとをそれぞれ歯合させることで、前記ピニオンギヤと前記２つのラックギヤとを組み付けることが可能なものである。
【発明の効果】
【０００９】
本発明の効果として、以下に示すような効果を奏する。
【００１０】
請求項１においては、ピニオンギヤと２つのラックギヤとを、正しい歯同士が噛み合うように組み付けることが容易となる。
【図面の簡単な説明】
【００１１】
【図１】パチンコ遊技機の全体的な構成を示した正面図。
【図２】パチンコ遊技機の窓枠が開放された状態を示した前方斜視図。
【図３】遊技盤を示した正面図。
【図４】待機状態における演出役物装置を示した正面図。
【図５】待機状態における駆動力伝達機構を示した正面図。
【図６】出現状態における駆動力伝達機構を示した正面図。
【図７】出現状態における演出役物装置を示した正面図。
【図８】演出役物装置が出現状態になった場合の遊技盤を示した正面図。
【図９】第一摺動部材、ピニオンギヤ及び第二摺動部材を示した前方分解斜視図。
【図１０】同じく、後方分解斜視図。
【図１１】（ａ）ピニオンギヤを示した正面図。（ｂ）同じく、側面図。（ｃ）同じく、背面図。（ｄ）Ａ−Ａ断面図。
【図１２】（ａ）第二摺動部材を示した正面図。（ｂ）同じく、側面図。（ｃ）同じく、背面図。（ｄ）Ｂ−Ｂ断面図。
【図１３】第一摺動部材、ピニオンギヤ及び第二摺動部材を示した前方斜視図。
【図１４】同じく、後方斜視図。
【図１５】（ａ）同じく、正面図。（ｂ）同じく、背面図。
【図１６】図１５におけるＣ−Ｃ断面図。
【図１７】ピニオンギヤが回転した場合における第一摺動部材、ピニオンギヤ及び第二摺動部材を示した背面図。
【図１８】（ａ）連結部が歯に当接して正しく組み付けることができない様子を示した平面断面模式図。（ｂ）同じく、背面図。
【図１９】（ａ）誤った位置でピニオンギヤが組み付けられた様子を示した背面図。（ｂ）連結部が干渉して回転することができない状態を示した背面図。
【発明を実施するための形態】
【００１２】
まず、本発明に係るパチンコ遊技機の一実施形態に係る遊技機１の全体的な構成について、図面を用いて説明する。
なお、以下の説明では、遊技機１を遊技者から見て、手前側を遊技機１の前側とし、奥側を遊技機１の後側として、前後方向を規定する。また、遊技機１を遊技者から見て、左手側を遊技機１の左側とし、右手側を遊技機１の右側として、左右方向を規定する。
【００１３】
遊技機１は、図１から図３が示すように、主として、外枠２と、中枠３と、窓枠４と、により構成される枠体に、各種の遊技部品が取り付けられて形成される。
【００１４】
外枠２は、遊技機１の外郭を成し、前後面が開口された略四角筒状に形成される枠体である。外枠２は、パチンコホール等の遊技場に設けられた台島に設置される。外枠２には、中枠３が設けられる。
【００１５】
中枠３は、前後面が開口された略四角筒状に形成される枠体である。中枠３は、外枠２の前側の開口部にヒンジ等の軸支部材を介して回動可能に支持される。中枠３には、窓枠４と、下皿ユニット５と、遊技盤６と、が設けられる。
【００１６】
窓枠４は、中央が開口された略平板状に形成される枠体である。窓枠４は、正面視で中枠３の下部を除く略全面に渡って配置される。窓枠４は、中枠３の前側の開口部にヒンジ部材を介して回動可能に支持される。窓枠４の中央には、正面視で略円形状の窓枠開口部７が形成される。窓枠開口部７は、透明板１９により被覆される。窓枠開口部７の下部には、発射前の遊技球が貯溜される上皿８が配設される。窓枠開口部７の左右上方には、スピーカ９がそれぞれ配設される。
【００１７】
下皿ユニット５は、中枠３の下部であって窓枠４の下方に取り付けられる。下皿ユニット５の中央には、上皿８から溢れた遊技球が貯溜される下皿１７が配設される。下皿ユニット５の右部であって下皿１７の右方には、発射ハンドル１８が配設される。発射ハンドル１８は、上皿８に貯溜された遊技球を発射可能に構成される。
【００１８】
遊技盤６は、遊技球が転動する領域である遊技領域２５が形成される部材である。遊技盤６は、窓枠４の後方であって、正面視で中枠３の下部を除く略全面に渡って配置される。遊技盤６は、中枠３に着脱可能に取り付けられる。なお、遊技盤６の遊技領域２５は、窓枠４の窓枠開口部７の後方に配置され、前方から透明板１９を介して視認可能に構成される。
【００１９】
次に、遊技盤６の構成について、図３を用いてさらに詳細に説明する。
【００２０】
遊技盤６は、図３に示すように、遊技板１０と、ガイドレール１１と、センター役物１２と、図柄表示装置１３と、可変入賞装置１４と、大入賞装置１５と、アウト口１６と、演出役物装置１００等により構成される。
【００２１】
遊技板１０は、四隅が適宜に切り欠かれた略平板状に形成される部材である。遊技板１０には、遊技盤６を構成する各種の遊技部品が取り付けられる。遊技板１０は、アクリル樹脂やポリカーボネート（ＰＣ）等の透過性を有する部材によって形成される。
【００２２】
ガイドレール１１は、略円弧帯状に形成される部材である。ガイドレール１１は、遊技板１０に、前方へ向けて立ち上がり状に取り付けられる。ガイドレール１１は、正面視で略円形状を形成するように配置される。なお、遊技板１０においてガイドレール１１によって略円形状に形成された内側の領域が、遊技球が転動する領域である遊技領域２５として構成される。
【００２３】
センター役物１２は、その外観により遊技板１０を装飾する部材である。センター役物１２は正面視で略環状であって、その中央にセンター開口部２７が前後方向に貫通して形成される。センター役物１２は、遊技板１０を前後方向に貫通するように当該遊技板１０の中央から上部に渡って形成される孔に前方から挿入され、ボルト等によって取り付けられる。
【００２４】
図柄表示装置１３は、前方を臨むように配設された液晶画面２６に図柄や数字等の変動（図柄遊技）を表示するように構成される装置である。図柄表示装置１３は、遊技板１０の後方に配置される。より詳細には、図柄表示装置１３の液晶画面２６が、遊技板１０に取り付けられたセンター役物１２のセンター開口部２７の後方に配置される。これによって、前方からセンター開口部２７を介して液晶画面２６に表示される図柄遊技を視認することができる。
【００２５】
可変入賞装置１４は、所定の作動条件に応じて左右一対の可動片２８が開閉作動し、始動入賞口１４ａに遊技球が入球（入賞）可能な開放状態と入球（入賞）不能な閉塞状態とに切り替え可能に構成される装置である。可変入賞装置１４は、遊技領域２５の中央下部であって図柄表示装置１３の下方に配置される。なお、可変入賞装置１４は、前記開放状態において始動入賞口１４ａに遊技球が入球（入賞）すると図示せぬ賞球払出装置によって所定数の遊技球（賞球）が払い出されるように構成される。
【００２６】
大入賞装置１５は、所定の大当たり抽選により大当たりが選択されると、大入賞口１５ａを開放して遊技球が入球（入賞）可能に構成される装置である。大入賞装置１５は、遊技領域２５の右部であって図柄表示装置１３の右下方に配置される。なお、大入賞装置１５は、開放した大入賞口１５ａに遊技球が入球すると図示せぬ賞球払出装置によって所定数の遊技球（賞球）が払い出されるように構成される。
【００２７】
アウト口１６は、遊技領域２５を転動する遊技球が、大入賞口１５ａや始動入賞口１４ａ等の各入賞口に入球（入賞）しなかった場合に、最終的に流入する開口部である。アウト口１６は、遊技領域２５の最下部に配置される。なお、アウト口１６に流入した遊技球は、遊技機１が設置されたパチンコホール等の遊技場側に回収される。
【００２８】
演出役物装置１００は、本発明に係る演出役物装置の一実施形態であり、所定の演出動作を行うことにより、遊技者に視覚的な印象（インパクト）を与え、その遊技者の興趣を高めるものである。演出役物装置１００は、前後方向において、図柄表示装置１３（液晶画面２６）の前方かつセンター役物１２の後方に配置され、液晶画面２６の右方に配置される。
【００２９】
以下では、図３から図７までを用いて、演出役物装置１００の構成の概略について説明する。
【００３０】
演出役物装置１００は、所定の部材を移動させて遊技者に視認させることで、当該遊技者に視覚的な印象（インパクト）を与え、その遊技者の興趣を高めるものである。演出役物装置１００は、主として下部可動演出部材１１０、上部可動演出部材１２０及び駆動力伝達機構１３０を具備する。
【００３１】
図３、図４及び図７に示す下部可動演出部材１１０は、本発明に係る可動演出部材の実施の一形態であり、所定の装飾が施されると共に、移動可能な部材である。下部可動演出部材１１０は任意の形状に形成されると共に、その表面（前面）には遊技者に視覚的な印象を与えるための装飾が適宜施される。下部可動演出部材１１０は、図柄表示装置１３（液晶画面２６）の右下方に配置される。
【００３２】
上部可動演出部材１２０は、本発明に係る可動演出部材の実施の一形態であり、所定の装飾が施されると共に、移動可能な部材である。上部可動演出部材１２０は任意の形状に形成されると共に、その表面（前面）には遊技者に視覚的な印象を与えるための装飾が適宜施される。上部可動演出部材１２０は、下部可動演出部材１１０の上方に配置される。
【００３３】
駆動力伝達機構１３０は、下部可動演出部材１１０及び上部可動演出部材１２０に駆動力を伝達するためのものである。駆動力伝達機構１３０は、主として第一摺動部材１４０、ピニオンギヤ１５０、第二摺動部材１６０、モータ１７０、センサ１８０、第一リンク機構１９０及び第二リンク機構２００を具備する。
【００３４】
図４及び図５に示す第一摺動部材１４０は、上下方向に摺動可能な部材である。第一摺動部材１４０は、その板面を前後方向に向けた、上下方向に長い略板状に形成される。第一摺動部材１４０は、図示しないガイド部材等によって、上下方向に摺動可能となるように案内される。第一摺動部材１４０には、駆動ラックギヤ１４１及びラックギヤ１４２が形成される。
【００３５】
駆動ラックギヤ１４１は、第一摺動部材１４０の右下部において、歯を右方に向けて形成される。
【００３６】
ラックギヤ１４２は、第一摺動部材１４０の左上部において、歯を左方に向けて形成される。
【００３７】
ピニオンギヤ１５０は、前後方向に向けた軸線を中心に回転可能なギヤである。ピニオンギヤ１５０は、図示しない回転軸によって、回転可能に支持される。ピニオンギヤ１５０は第一摺動部材１４０の上部の左方に配置され、当該第一摺動部材１４０のラックギヤ１４２と歯合される。
【００３８】
第二摺動部材１６０は、上下方向に摺動可能な部材である。第二摺動部材１６０は、その板面を前後方向に向けた、上下方向に長い略板状に形成される。第二摺動部材１６０は、第一摺動部材１４０の左上方に配置される。第二摺動部材１６０は、図示しないガイド部材等によって、上下方向に摺動可能となるように案内される。第二摺動部材１６０には、ラックギヤ１６１が形成される。
【００３９】
ラックギヤ１６１は、第二摺動部材１６０の右下部において、歯を右方に向けて形成される。ラックギヤ１６１は、ピニオンギヤ１５０と歯合される。
【００４０】
モータ１７０は、駆動源となるものである。モータ１７０は、第一摺動部材１４０の右下部（駆動ラックギヤ１４１）の前方に配置される。モータ１７０の図示しない出力ギヤは、第一摺動部材１４０の駆動ラックギヤ１４１に歯合される。モータ１７０は図示しない制御装置に接続され、当該制御装置によって動作を制御される。
【００４１】
センサ１８０は、第一摺動部材１４０が上下方向所定位置（具体的には、最下位置）にあるか否かを検出するものである。センサ１８０は第一摺動部材１４０の左下部近傍に配置される。センサ１８０は前記制御装置に接続され、当該制御装置に第一摺動部材１４０の位置の検出結果を送信することができる。
【００４２】
図４及び図７に示す第一リンク機構１９０は、第一摺動部材１４０の摺動に基づいて下部可動演出部材１１０を移動させるものである。第一リンク機構１９０は、互いにに回動や摺動が可能な複数の部材により構成され、概ね左右方向に伸縮可能に構成される。第一リンク機構１９０の一端は第一摺動部材１４０に連結され、他端は下部可動演出部材１１０に連結される。
【００４３】
第二リンク機構２００は、第二摺動部材１６０の摺動に基づいて上部可動演出部材１２０を移動させるものである。第二リンク機構２００は、互いに回動や摺動が可能な複数の部材により構成され、概ね左右方向に伸縮可能に構成される。第二リンク機構２００の一端は第二摺動部材１６０に連結され、他端は上部可動演出部材１２０に連結される。
【００４４】
以下では、図３から図８までを用いて、演出役物装置１００の動作態様について説明する。
【００４５】
図４及び図５に示すように、第一摺動部材１４０が最下位置（最も下方まで摺動した位置）に保持されている場合、第二摺動部材１６０は、ピニオンギヤ１５０を介して最上位置（もっとも上方まで摺動した位置）に保持される。この場合、下部可動演出部材１１０は第一リンク機構１９０を介して最も右方まで移動した位置に保持される。また、上部可動演出部材１２０は第二リンク機構２００を介して最も右方まで移動した位置に保持される。この演出役物装置１００の状態を、以下では「待機状態」と記す。
【００４６】
待機状態の演出役物装置１００においては、図３に示すように、下部可動演出部材１１０及び上部可動演出部材１２０の一部がセンター役物１２の右側部の背後に位置しているため、遊技者（正面）から当該下部可動演出部材１１０及び上部可動演出部材１２０が視認し難くなっている。
【００４７】
図６に示すように、前記制御装置によってモータ１７０が駆動され、第一摺動部材１４０が上方に摺動されると、ピニオンギヤ１５０を介して第二摺動部材１６０が下方に摺動される。図７に示すように、第一摺動部材１４０が上方に摺動されると、第一リンク機構１９０が左右方向に伸長し、下部可動演出部材１１０が左方へと移動する。また、第二摺動部材１６０が下方に摺動されると、第二リンク機構２００が左右方向に伸長し、上部可動演出部材１２０が左方へと移動する。この演出役物装置１００の状態を、以下では「出現状態」と記す。
【００４８】
出現状態の演出役物装置１００においては、図８に示すように、下部可動演出部材１１０及び上部可動演出部材１２０の大部分がセンター役物１２の右側部の背後から出現する。このため、遊技者から当該下部可動演出部材１１０及び上部可動演出部材１２０が視認し易くなり、当該遊技者に印象を与えることができる。
【００４９】
また、前記制御装置によってモータ１７０を上記と逆方向に駆動することによって、再び演出役物装置１００を出現状態から待機状態（図３及び図４参照）に戻すことができる。
【００５０】
このように、１つのピニオンギヤ１５０、並びに当該ピニオンギヤ１５０に歯合された２つのラックギヤ１４２及びラックギヤ１６１（いわゆる、ダブルラック・ピニオン）を具備する駆動力伝達機構１３０を用いて可動演出部材（下部可動演出部材１１０及び上部可動演出部材１２０）を動作させる場合においては、当該可動演出部材を正常に動作させるために、ピニオンギヤ１５０とラックギヤ１４２及びラックギヤ１６１とを予め定められた歯同士が噛み合うように組み付ける必要がある。以下では、当該組み付け作業を容易に正しく行うための構造について、第一摺動部材１４０、ピニオンギヤ１５０及び第二摺動部材１６０に着目して説明する。
【００５１】
図９から図１１までに示すように、ピニオンギヤ１５０の周囲には一定の間隔で複数（本実施形態においては、１４枚）の歯が形成されている。ピニオンギヤ１５０の歯の歯幅（前後方向幅）は、後述するラックギヤ１６１及びラックギヤ１４２の歯幅よりも大きくなるように形成される。これら複数の歯のうち、隣り合う２枚の所定の歯１５２・１５２の間には、連結部１５３が形成される。
【００５２】
連結部１５３は、所定の歯１５２・１５２の後端部同士を連結するものである。連結部１５３は、その板面を前後方向に向けた略板状となるように形成される。連結部１５３の幅（前後方向幅）は、ピニオンギヤ１５０の所定の歯１５２の歯幅よりも小さくなるように形成される。これによって、連結部１５３は所定の歯１５２・１５２の後端部のみを連結することになり、所定の歯１５２・１５２の前端部においては、他の歯と同様に一定の間隔が確保される。
【００５３】
なお、本実施形態においては、ピニオンギヤ１５０の軸線を中心として対称な位置（相反する位置）にそれぞれ連結部１５３が形成され、合計２つの連結部１５３が形成されるものとする。
【００５４】
図９、図１０及び図１２に示すように、第二摺動部材１６０のラックギヤ１６１においては、一定の間隔で複数の歯が形成されている。これら複数の歯のうち、所定の歯１６１ｂには、切欠部１６１ｃが形成される。
【００５５】
切欠部１６１ｃは、所定の歯１６１ｂの後端部を切り欠くようにして形成される部分である。これによって、当該所定の歯１６１ｂと隣り合う上下の歯の後端部の間には、歯が形成されていないスペースが確保されることになる。
【００５６】
また、当該所定の歯１６１ｂの前端は、他の歯の前端よりも前方に突出するように、前方へと延長される。これによって、所定の歯１６１ｂの歯幅（前後方向幅）が増加するように構成されている。
【００５７】
なお、本実施形態においては、所定の歯１６１ｂ及び切欠部１６１ｃは一定間隔ごと（すなわち、一定数の歯ごと）に形成されるものとする。本実施形態においては、ある所定の歯１６１ｂとその次の所定の歯１６１ｂとの間には、６枚の歯が形成されるものとする。
【００５８】
図９及び図１０に示すように、第一摺動部材１４０のラックギヤ１４２においては、一定の間隔で複数の歯が形成されている。これら複数の歯のうち、所定の歯１４２ｂには、切欠部１４２ｃが形成される。
【００５９】
なお、第一摺動部材１４０のラックギヤ１４２に形成される切欠部１４２ｃの構成は、第二摺動部材１６０のラックギヤ１６１に形成される切欠部１６１ｃの構成と同様であるため、詳細な説明は省略する。
【００６０】
次に、上述の如く構成された第一摺動部材１４０、ピニオンギヤ１５０及び第二摺動部材１６０を組み付ける際の様子について説明する。
【００６１】
図９、図１０、図１３及び図１４に示すように、第一摺動部材１４０のラックギヤ１４２及び第二摺動部材１６０のラックギヤ１６１にピニオンギヤ１５０が噛み合うように、当該第一摺動部材１４０及び第二摺動部材１６０の後方からピニオンギヤ１５０を歯合させる。
【００６２】
この際、組み付け作業を行う作業者は、ピニオンギヤ５０の２つの連結部１５３・１５３、並びにラックギヤ１４２の切欠部１４２ｃ及びラックギヤ１６１の切欠部１６１ｃの位置を確認し、当該ピニオンギヤ１５０の２つの連結部１５３・１５３が、ラックギヤ１４２の切欠部１４２ｃ（より具体的には、最も上方に位置する切欠部１４２ｃ）及びラックギヤ１６１の切欠部１６１ｃ（より具体的には、最も下方に位置する切欠部１６１ｃ）にそれぞれ対応するように組み付ける。これによって、図１５及び図１６に示すように、ラックギヤ１４２の切欠部１４２ｃ及びラックギヤ１６１の切欠部１６１ｃにピニオンギヤ１５０の２つの連結部１５３・１５３がそれぞれ収まり、第一摺動部材１４０、ピニオンギヤ１５０及び第二摺動部材１６０を確実に組み付けることができる。
【００６３】
この連結部１５３、切欠部１４２ｃ及び切欠部１６１ｃは作業者から一見して分かり易い形状（その他の歯とは明らかに異なる形状）であるため、第一摺動部材１４０、ピニオンギヤ１５０及び第二摺動部材１６０を、予め定められた正しい歯同士が噛み合うように組み付けることが容易である。特に本実施形態においては、当該連結部１５３、切欠部１４２ｃ及び切欠部１６１ｃの近傍に、後方から視認可能な丸形の目印Ｍが形成されているため、当該目印Ｍの位置を確認することで、正しく組み付けるのがより容易となる。
【００６４】
このようにして組み付けられた状態においては、図１５に示すように、ピニオンギヤ１５０の所定の歯１５２・１５２の間に、ラックギヤ１４２の所定の歯１４２ｂ及びラックギヤ１６１の所定の歯１６１ｂがそれぞれ噛み合わされることになる。すなわち、連結部１５３が切欠部１４２ｃ及び切欠部１６１ｃに噛み合わされるだけでなく、当該連結部１５３が形成された所定の歯１５２もその他の歯と同様にラックギヤ１４２及びラックギヤ１６１と歯合されることになる。このため、当該部分においてもその他の歯と同様の噛み合わせ（ギヤ間のガタ）を維持することができ、当該部分における駆動力の伝達ロスの発生を防止することができる。
【００６５】
また本実施形態においては、ラックギヤ１４２の所定の歯１４２ｂ及びラックギヤ１６１の所定の歯１６１ｂを前方へと延長して歯幅を確保しているため、当該所定の歯１４２ｂ及び所定の歯１６１ｂの耐久性の向上も図ることができる。
【００６６】
このように組みつけられた第一摺動部材１４０、ピニオンギヤ１５０及び第二摺動部材１６０においてピニオンギヤ１５０が回転しても、当該ピニオンギヤ１５０の連結部１５３はラックギヤ１４２の切欠部１４２ｃ及びラックギヤ１６１の切欠部１６１ｃに対応することになる。
【００６７】
具体的には、図１５（ｂ）に示す状態からピニオンギヤ１５０が背面視時計回りに１８０度回転すると、図１７に示すようにピニオンギヤ１５０の連結部１５３・１５３はラックギヤ１４２の上から二番目の切欠部１４２ｃ及びラックギヤ１６１の下から二番目の切欠部１６１ｃにそれぞれ収まることになる。
【００６８】
このように、ピニオンギヤ１５０の連結部１５３・１５３がラックギヤ１４２及びラックギヤ１６１と干渉することがないため、当該ピニオンギヤ１５０の回転が阻害されて第一摺動部材１４０、ピニオンギヤ１５０及び第二摺動部材１６０間の駆動力の伝達が阻害されることはない。
【００６９】
上述の如く、本実施形態に係る第一摺動部材１４０、ピニオンギヤ１５０及び第二摺動部材１６０を正しく組み付けることは容易であるが、以下では万が一正しく組み付けることができなかった場合について説明する。
【００７０】
例えば、図１８に示すように、ピニオンギヤ１５０が正しい位置から歯一枚分だけずれて組み付けられようとした場合、当該ピニオンギヤ１５０の連結部１５３がラックギヤ１４２及びラックギヤ１６１の歯に後方から当接することになる。これによって、ピニオンギヤ１５０は正常に組み付けることができず、後方に突出してしまう。作業者は、後方に突出したピニオンギヤ１５０を視認することによって、正しく組み付けられていないことを知ることができる。
【００７１】
また、図１９（ａ）に示すように、ピニオンギヤ１５０が正しい位置から歯三枚分程度ずれて組み付けられようとした場合、当該ピニオンギヤ１５０の連結部１５３はラックギヤ１４２及びラックギヤ１６１と干渉することがないため、一応は当該ピニオンギヤ１５０を組み付けることができる。しかしながら、図１９（ｂ）に示すように、ピニオンギヤ１５０を回転させると、ある回転位置において当該ピニオンギヤ１５０の連結部１５３がラックギヤ１４２及びラックギヤ１６１に干渉して回転することができなくなる。従って作業者は、ピニオンギヤ１５０を組み付けた後で当該ピニオンギヤ１５０を回転させてみることによって、容易に正しく組み付けられていないことを知ることができる。
【００７２】
以上の如く、本実施形態に係る遊技機１（パチンコ遊技機）の駆動力伝達機構１３０は、１つのピニオンギヤ１５０、及び当該ピニオンギヤ１５０に歯合された２つのラックギヤ（ラックギヤ１４２及びラックギヤ１６１）を具備し、可動演出部材（下部可動演出部材１１０及び上部可動演出部材１２０）に駆動力を伝達することが可能な遊技機１の駆動力伝達機構１３０であって、前記２つのラックギヤは、それぞれ所定の歯（所定の歯１４２ｂ及び所定の歯１６１ｂ）の歯幅方向一端部が切り欠かれた切欠部（切欠部１４２ｃ及び切欠部１６１ｃ）を有し、ピニオンギヤ１５０は、互いに隣り合う所定の歯１５２・１５２の歯幅方向一端部を連結する連結部１５３を有し、前記切欠部に連結部１５３が対応するようにピニオンギヤ１５０と前記２つのラックギヤとをそれぞれ歯合させることで、ピニオンギヤ１５０と前記２つのラックギヤとを組み付けることが可能なものである。
【００７３】
このように構成することにより、ピニオンギヤ１５０と２つのラックギヤとを、正しい歯同士が噛み合うように組み付けることが容易となる。
すなわち、前記切欠部と連結部１５３の位置を確認しながら組み付けることで、誤った歯同士が噛み合うように組み付けてしまうのを防止することができる。また、所定の歯１５２・１５２に連結部１５３が形成されることによって、ピニオンギヤ１５０は誤った位置で組み付けることができなくなるか、組み付けることができたとしても正常に動作しないため、誤った歯同士が噛み合うように組み付けられたことを容易に知ることができる。
【００７４】
なお、本実施形態においては、ピニオンギヤ１５０に形成される連結部１５３は、２つの歯（所定の歯１５２・１５２）を連結するものとしたが、本発明はこれに限るものではなく、３つ以上の歯を連結するものであっても良い。
この場合、対応するラックギヤの切欠部（ラックギヤ１４２の切欠部１４２ｃ及びラックギヤ１６１の切欠部１６１ｃ）も、当該連結部１５３が連結する歯の枚数に応じて隣り合う複数の歯を切り欠いて形成される。例えば、連結部１５３が３枚の歯を連結する場合、前記切欠部は隣り合う２枚の歯を切り欠いて形成される。
【００７５】
また、本実施形態においては、連結部１５３はピニオンギヤ１５０に２箇所形成されるものとしたが、本発明はこれに限るものではなく、１箇所形成される構成とすることや３箇所以上形成する構成とすることも可能である。但し、ピニオンギヤ１５０を２つのラックギヤ（ラックギヤ１４２及びラックギヤ１６１）に同時に組み付ける観点から、当該２つのラックギヤの切欠部に同時に収まるように２箇所以上形成することが望ましい。
【００７６】
また、本実施形態においては耐久性の確保の観点から、ラックギヤ１４２の所定の歯１４２ｂ及びラックギヤ１６１の所定の歯１６１ｂを前方へと延長するように形成したが、本発明はこれに限るものではなく、当該所定の歯１４２ｂ及び所定の歯１６１ｂは必ずしも前方に延長しなくても良い。
【符号の説明】
【００７７】
１：遊技機，１００：演出役物装置，１１０：下部可動演出部材，１２０：上部可動演出部材，１３０：駆動力伝達機構，１４２：ラックギヤ，１４２ｂ：所定の歯，１４２ｃ：切欠部，１５０：ピニオンギヤ，１５２：所定の歯，１５３：連結部，１６１：ラックギヤ，１６１ｂ：所定の歯，１６１ｃ：切欠部
【図１】
2014183961.tif 000003
【図２】
2014183961.tif 000004
【図３】
2014183961.tif 000005
【図４】
2014183961.tif 000006
【図５】
2014183961.tif 000007
【図６】
2014183961.tif 000008
【図７】
2014183961.tif 000009
【図８】
2014183961.tif 000010
【図９】
2014183961.tif 000011
【図１０】
2014183961.tif 000012
【図１１】
2014183961.tif 000013
【図１２】
2014183961.tif 000014
【図１３】
2014183961.tif 000015
【図１４】
2014183961.tif 000016
【図１５】
2014183961.tif 000017
【図１６】
2014183961.tif 000018
【図１７】
2014183961.tif 000019
【図１８】
2014183961.tif 000020
【図１９】
2014183961.tif 000021